(57)【要約】【課題】ツリー構造をとるフォルダ構造プレイリストのカレント位置を適切に変更する。【解決手段】楽曲再生制御機能が、動作中の楽曲再生部に、フォルダ構造プレイリストのカレント位置を要求した場合、楽曲再生部は、その際に楽曲再生部内に記憶されているカレント位置を通知する（ステップＳ２０２）。通知されたカレント位置がフォルダである場合（ステップＳ２０３の「ルートフォルダ」及び「アルバム一覧」フォルダ）、楽曲再生制御機能は、続いて、カレント位置をプレイリストに移して（ステップＳ１０４、ステップＳ１０６）、プレイリスト内の楽曲を再生させる（ステップＳ１０８）。通知されたカレント位置がプレイリストである場合（ステップＳ２０３の「プレイリスト１」）、カレント位置を移すことなく、プレイリスト内の楽曲を再生させる（ステップＳ１０８）。【選択図】図９
2010073277.tif 000002
【特許請求の範囲】
【請求項１】
リモコン装置との間で近距離無線通信を行う近距離無線通信手段と、
楽曲コンテンツを記憶する楽曲コンテンツ記憶手段と、
ルートフォルダをルートノードとし、前記楽曲コンテンツの識別情報の列であるプレイリストをリーフノードとするツリー構造のフォルダ構造プレイリストを記憶するフォルダ構造プレイリスト記憶手段と、
前記フォルダ構造プレイリスト中の１つのノードを示すカレント位置を記憶するカレント位置記憶手段と、
前記近距離無線通信手段によって受信された前記リモコン装置からの前記カレント位置の通知要求に応じて、そのカレント位置のノードに係る情報を、前記近距離無線通信手段を制御して前記リモコン装置へ通知するカレント位置通知手段と、
前記カレント位置を前記ルートフォルダとし、前記カレント位置を移動し、また、前記カレント位置である前記プレイリストに前記識別情報が含まれる楽曲コンテンツを再生する楽曲再生手段とを有する
ことを特徴とする楽曲再生装置。
【請求項２】
入力手段と、
表示手段と、
リモコン装置との間で近距離無線通信を行う近距離無線通信手段と、
楽曲コンテンツを記憶する楽曲コンテンツ記憶手段と、
ルートフォルダをルートノードとし、前記楽曲コンテンツの識別情報の列であるプレイリストをリーフノードとするツリー構造のフォルダ構造プレイリストを記憶するフォルダ構造プレイリスト記憶手段と、
前記フォルダ構造プレイリスト中の１つのノードを示すカレント位置を記憶するカレント位置記憶手段と、
前記カレント位置の通知要求に応じて、そのカレント位置のノードに係る情報を通知するカレント位置通知手段と、
前記カレント位置を前記ルートフォルダとし、（ａ）前記カレント位置の移動要求に応じて、そのカレント位置を移動し、また、（ｂ）前記カレント位置のノードが前記プレイリストである場合、そのプレイリストに前記識別情報が含まれる楽曲コンテンツの選択と再生要求に応じて、その選択された楽曲コンテンツを再生する楽曲再生手段と、
前記入力手段から入力された要求に従って、（ｃ）前記カレント位置の通知を前記カレント位置通知手段に要求し、その要求に応じた通知を前記表示手段に表示させ、（ｄ）前記カレント位置をそのカレント位置の親ノード又は子ノードへ移動させることを前記楽曲再生手段に要求し、また、（ｅ）前記カレント位置のノードのプレイリストに前記識別情報が含まれる楽曲コンテンツの選択と再生を前記楽曲再生手段に要求する第１の楽曲再生制御手段と、
前記リモコン装置から送信され、前記近距離無線通信手段によって受信された要求に従って、（ｆ）前記カレント位置の通知を前記カレント位置通知手段に要求し、その要求に応じた通知を前記近距離無線通信手段を制御して前記リモコン装置へ送信させ、（ｇ）前記カレント位置をそのカレント位置の親ノード又は子ノードへ移動させることを前記楽曲再生手段に要求し、また、（ｈ）前記カレント位置のノードのプレイリストに前記識別情報が含まれる楽曲コンテンツの選択と再生を前記楽曲再生手段に要求する第２の楽曲再生制御手段とを有する
ことを特徴とする楽曲再生装置。
【請求項３】
外部記憶媒体を取り外し可能に接続する外部記憶媒体接続手段を更に有し、
前記フォルダ構造プレイリストの真部分ツリー構造は、前記外部記憶媒体に記憶され、
前記楽曲再生手段は、前記カレント位置が前記外部記憶媒体に記憶された真部分ツリー構造中のノードであって、かつ、前記外部記憶媒体が前記外部記憶媒体接続手段から取り外された場合、前記カレント位置を前記ルートフォルダとする
ことを特徴とする請求項１又は請求項２に記載の楽曲再生装置。
【請求項４】
前記楽曲再生手段は、前記カレント位置のノードが前記プレイリストである場合、そのカレント位置のノードに係る情報として、そのプレイリスト内の選択された楽曲コンテンツを識別する情報を通知し、
前記第１の楽曲再生制御手段は、前記楽曲再生手段から通知された前記選択された楽曲コンテンツを識別する情報を表示する
ことを特徴とする請求項２に記載の楽曲再生装置。
【請求項５】
前記近距離無線通信手段は、ブルートゥース通信方式に従った通信を行う
ことを特徴とする請求項１又は請求項２に記載の楽曲再生装置。
【発明の詳細な説明】
【技術分野】
【０００１】
本発明は、楽曲再生装置に係り、特に再生する楽曲を選択する処理に関する。
【背景技術】
【０００２】
入力部から入力された操作に基づいて再生する楽曲を選択するだけでなく、近距離無線通信を介して受信された制御信号、例えば、ブルートゥース（Bluetooth、登録商標）のＡＶＲＣＰプロファイルに従った制御信号を受信して、その制御信号に従って、再生する楽曲を選択する技術が知られている。即ち、ＡＶＲＣＰプロファイルには、音楽プレイヤの選択、選択された音楽プレイヤ毎にプレイリストの取得、楽曲情報の取得、楽曲再生などの制御が定められている。
【０００３】
ここで、プレイリストとは、楽曲のリストであり、プレイリストに含まれる楽曲を順次再生し、また、プレイリストに含まれる楽曲中の指定された楽曲を再生する。また、プレイリストは、ツリー構造をなす、即ち、ルートフォルダをルートノード（頂点であるノード。）とし、その他のフォルダは、任意のフォルダであるノードの子ノードとして記憶され、１つ又は複数のプレイリストがフォルダの子ノードとして記憶されることが知られている。なお、プレイリストは、リーフノードであり、子ノードを持たない。以後、上記のようにツリー構造をとるフォルダ及びプレイリストをフォルダ構造プレイリストと称する。
【０００４】
プレイリストの取得は、例えば、フォルダの選択と、そのフォルダの子ノードであるプレイリスト内の１つを選択することによって行なわれる（例えば、特許文献１参照。）。ここで、フォルダの選択は、ツリー構造で、選択されたフォルダの親ノードであるフォルダ、又は、子ノードであるフォルダを新たに選択することによって行われる。
【０００５】
以後、選択されたフォルダをカレント位置のフォルダと称し、選択されたプレイリストをカレント位置のプレイリストと称する。言い換えると、カレント位置は、ツリー構造中の選択されたノードを意味する。
【特許文献１】特開２００６−９４４１４号公報（第８−９頁、図７）
【発明の開示】
【発明が解決しようとする課題】
【０００６】
しかしながら、上述した特許文献１に開示されている方法では、ツリー構造をなすフォルダ構造プレイリストのプレイリスト取得の際、カレント位置は、ツリー構造中の如何なるノードであるかが明らかでない問題点があった。より具体的には、フォルダ構造プレイリストのプレイリスト取得開始の際のカレント位置が明らかでない問題点があった。
【０００７】
本発明は、上記問題点を解決するためになされたもので、ツリー構造をとるフォルダ構造プレイリストのカレント位置を適切に変更する楽曲再生装置を提供することを目的とする。
【課題を解決するための手段】
【０００８】
上記目的を達成するために、本発明の楽曲再生装置は、リモコン装置との間で近距離無線通信を行う近距離無線通信手段と、楽曲コンテンツを記憶する楽曲コンテンツ記憶手段と、ルートフォルダをルートノードとし、前記楽曲コンテンツの識別情報の列であるプレイリストをリーフノードとするツリー構造のフォルダ構造プレイリストを記憶するフォルダ構造プレイリスト記憶手段と、前記フォルダ構造プレイリスト中の１つのノードを示すカレント位置を記憶するカレント位置記憶手段と、前記近距離無線通信手段によって受信された前記リモコン装置からの前記カレント位置の通知要求に応じて、そのカレント位置のノードに係る情報を、前記近距離無線通信手段を制御して前記リモコン装置へ通知するカレント位置通知手段と、前記カレント位置を前記ルートフォルダとし、前記カレント位置を移動し、また、前記カレント位置である前記プレイリストに前記識別情報が含まれる楽曲コンテンツを再生する楽曲再生手段とを有することを特徴とする。
【発明の効果】
【０００９】
本発明によれば、ツリー構造をとるフォルダ構造プレイリストのカレント位置を適切に変更することができる。
【発明を実施するための最良の形態】
【００１０】
以下に、本発明による楽曲再生装置の実施の形態を、図面を参照して説明する。図１は、本発明の実施形態に係る楽曲再生装置が適用された移動通信装置が含まれた再生制御システムの構成を示すブロック図である。
【００１１】
この再生制御システムは、移動通信網（図示せず）に接続される移動通信装置１０と、リモコン装置３０と、移動通信装置１０及びリモコン装置３０の間を接続する近距離無線通信網４０とからなる。ここで、移動通信装置１０は、移動通信網を介した通信を行い、また、楽曲を再生する。再生される楽曲は、移動通信装置１０に含まれる入力部からの入力に従って、及び、リモコン装置３０から送信され近距離無線通信網４０を介して受信された制御信号に従って、選択される。近距離無線通信網４０は、ＡＶＲＣＰプロファイルを含む、ブルートゥース（Ｒ）方式のプロファイルに従った通信網である。
【００１２】
図２は、移動通信装置１０の構成を示すブロック図である。この移動通信装置１０は、装置全体の制御を行う制御部１１と、移動通信網に属する基地局（図示せず）との間で電波の送受信を行うアンテナ１２ａと、移動通信網通信部１２ｂと、移動通信網送受信部１３と、受話に用いられるスピーカ１４ａと、送話に用いられるマイクロフォン１４ｂと、通話部１４ｃと、使用者へ情報の提示を行う表示部１５と、使用者からの操作指示を入力する入力部１６と、楽曲再生部１７と、楽曲再生用のスピーカ１７ａと、楽曲コンテンツ記憶部１８と、ＳＤカード等の外部記憶媒体が取り外し可能に接続される外部記憶媒体接続部１９と、近距離無線通信の電波の送受信を行うアンテナ２１ａと、近距離無線通信部２１ｂと、近距離無線送受信部２２とからなる。
【００１３】
なお、プログラムを実行することで実現される本発明に関する機能として、制御部１１には、楽曲再生制御機能１１ａが存在している。
【００１４】
楽曲再生部１７には、カレント位置１７ｂと、リスト内順位１７ｃとが記憶される。また、楽曲コンテンツ記憶部１８には、楽曲コンテンツと、フォルダ構造プレイリストとが記憶される。楽曲コンテンツは、コンテンツダウンロード部（図示せず）によってコンテンツサーバ装置（図示せず）から基地局および移動通信網通信部１２ｂを介して受信され、又は、外部記憶媒体接続部１９に接続された外部記憶媒体を介して入力された、符号化された音声信号データであり、楽曲再生部１７によって再生される。楽曲コンテンツには、識別子、楽曲の名称、アーティスト名などの属性が含まれる。また、楽曲コンテンツは、音楽信号データには限らない。
【００１５】
フォルダ構造プレイリストは、ツリー構造をとり、楽曲コンテンツの識別子のリストであるプレイリストは、そのツリー構造のリーフノードとして記憶される。プレイリスト以外のノードは、フォルダである。なお、ツリー構造をとるフォルダ構造プレイリストの真部分ツリーは、外部記憶媒体接続部１９に接続された外部記憶媒体に記憶されることがある。ここで、真部分ツリーとは、ルートノードであるルートフォルダを含まない部分ツリーである。言い換えると、ルートノードであるルートフォルダは、常に楽曲コンテンツ記憶部１８に記憶される。
【００１６】
図３は、リモコン装置３０の構成を示すブロック図である。このリモコン装置３０は、装置全体の制御を行う制御部３１と、使用者へ情報の提示を行う表示部３２と、使用者からの操作指示を入力する入力部３３と、近距離無線通信の電波の送受信を行うアンテナ３４ａと、近距離無線通信部３４ｂと、近距離無線送受信部３５とからなる。
【００１７】
ここで、表示部３２と、入力部３３とは、タッチパネルとして一体に成型されており、入力部３３の操作は、表示部３２の表示画面にソフトキーが表示された部分への、例えば、使用者の指の接触による。
【００１８】
なお、プログラムを実行することで実現される本発明に関する機能として、制御部３１には、楽曲再生リモコン機能３１ａが存在している。
【００１９】
上記のように構成された、本発明の実施形態に係る再生制御システムの各部の動作を、図１〜図３を参照して説明する。
【００２０】
まず、移動通信装置１０の各部の動作を、図２を参照して説明する。移動通信網通信部１２ｂは、アンテナ１２ａを介して受信した高周波信号を移動通信網送受信部１３に送信する。また、移動通信網送受信部１３から送信された高周波信号をアンテナ１２ａを介して送信する。
【００２１】
移動通信網送受信部１３は、移動通信網通信部１２ｂから送信された高周波信号を増幅、周波数変換及び復調し、復調されたデジタル音声信号を通話部１４ｃに送信し、また、制御信号を制御部１１に送信する。更には、通話部１４ｃから送信されたデジタル音声信号、及び制御部１１から送信された制御信号を変調、周波数変換及び増幅し、増幅された高周波信号を移動通信網通信部１２ｂに送信する。
【００２２】
通話部１４ｃは、移動通信網送受信部１３から送信されたデジタル音声信号をアナログ音声信号に変換して増幅し、増幅されたアナログ音声信号をスピーカ１４ａに送る。また、マイクロフォン１４ｂが出力するアナログ音声信号を増幅し、増幅されたアナログ音声信号をデジタル音声信号に変換して移動通信網送受信部１３へ送信する。
【００２３】
表示部１５は、例えばＬＣＤであり、制御部１１に制御されることで、文字・数字や映像データの表示動作を行う。また、表示されているデータは、入力部１６からの入力信号に応答して、また、楽曲再生部１７の動作に依存して切換わる。
【００２４】
入力部１６は、複数のキースイッチからなり、入力部１６のキーが操作されると、そのキーの識別子が制御部１１に通知され、制御部１１によって、表示部１５に文字として表示され、また、移動通信装置１０の各部によって制御が行われる。
【００２５】
楽曲再生部１７は、楽曲再生制御機能１１ａからの要求に基づいて、及び、近距離無線送受信部２２からの要求に基づいて起動され、楽曲コンテンツ記憶部１８に記憶された楽曲コンテンツを復号し、復号によって得られた音声をスピーカ１７ａから発生させる。
【００２６】
また、楽曲再生部１７は、楽曲コンテンツ記憶部１８に記憶されたフォルダ構造プレイリストを表示部１５に表示させ、又は、近距離無線送受信部２２に送信し、選択されたプレイリストに含まれる楽曲を順次、又は、そのプレイリストに含まれる指定された楽曲を、復号してスピーカ１７ａから音声を発生させる。
【００２７】
楽曲再生部１７は、フォルダ構造プレイリストのツリー構造のいずれのノードが選択されているかを楽曲再生部１７内のカレント位置１７ｂに常に記憶し、プレイリスト内の楽曲が選択されている場合、何番目の楽曲が選択されているかを楽曲再生部１７内のリスト内順位１７ｃに記憶する。
【００２８】
次に、近距離無線通信部２１ｂは、アンテナ２１ａを介して近距離無線通信網４０から受信した近距離無線高周波信号を近距離無線送受信部２２に送信する。また、近距離無線送受信部２２から送信された高周波信号をアンテナ２１ａを介して近距離無線通信網４０に送信する。ここで、近距離無線通信は、例えばブルートゥース（Ｒ）方式を用いるが、無線ＬＡＮ方式を用いても良いし、赤外線通信方式を用いても良い。
【００２９】
近距離無線送受信部２２は、近距離無線通信部２１ｂによって受信された高周波信号を増幅、周波数変換及び復調し、復調された制御信号を楽曲再生部１７に送信する。また、楽曲再生部１７から送信されたフォルダ構造プレイリストを受信し、変調、周波数変換及び増幅し、増幅された高周波信号を近距離無線通信部２１ｂに送信させる。
【００３０】
このように、近距離無線送受信部２２が近距離無線通信部２１ｂによって受信された制御信号を楽曲再生部１７に送信し、楽曲再生部１７から送信された情報を近距離無線通信部２１ｂに送信させることは、リモコン装置３０を楽曲再生部１７のリモコンとして動作させることを意味している。また、楽曲再生部１７は、楽曲再生制御機能１１ａからの信号と、近距離無線送受信部２２からの信号とによって制御されることを意味している。
【００３１】
そこで、移動通信装置１０による楽曲再生は、楽曲再生部１７、スピーカ１７ａ、楽曲再生制御機能１１ａ、表示部１５、入力部１６、楽曲コンテンツ記憶部１８、外部記憶媒体接続部１９、アンテナ２１ａ、近距離無線通信部２１ｂ及び近距離無線送受信部２２によって行われる。
【００３２】
楽曲再生制御機能１１ａは、楽曲再生部１７を制御する入力部１６の所定のキー操作を受信し、受信された操作に対応する要求を楽曲再生部１７に送信する。また、楽曲再生部１７から送信されたフォルダ構造プレイリストを表示部１５に表示させる。
【００３３】
次に、リモコン装置３０の各部の動作を、図３を参照して説明する。表示部３２は、例えばＬＣＤであり、制御部３１に制御されることで、文字・数字や映像データの表示動作を行う。また、表示されているデータは、入力部３３からの入力信号に応答して、また、近距離無線送受信部３５によって受信された情報に依存して切換わる。
【００３４】
入力部３３は、既に説明したように、タッチパネルとして表示部３２と一体成型されているので、入力部３３は、表示部３２に表示されたソフトキーからなり、使用者が操作した、具体的には、接触したソフトキーを識別する信号を制御部３１へ通知する。
【００３５】
近距離無線通信部３４ｂは、アンテナ３４ａを介して近距離無線通信網４０から受信した近距離無線高周波信号を近距離無線送受信部３５に送信する。また、近距離無線送受信部３５から送信された高周波信号をアンテナ３４ａを介して近距離無線通信網４０に送信する。ここで、近距離無線通信の方式は、近距離無線通信部２１ｂの動作説明の際に説明した通りである。
【００３６】
近距離無線送受信部３５は、近距離無線通信部３４ｂによって受信された高周波信号を増幅、周波数変換及び復調し、復調された情報、例えばフォルダ構造プレイリストを楽曲再生リモコン機能３１ａに送る。また、楽曲再生リモコン機能３１ａから送信された制御信号を変調、周波数変換及び増幅し、増幅された高周波信号を近距離無線通信部３４ｂに送信させる。
【００３７】
楽曲再生リモコン機能３１ａは、楽曲再生部１７を制御するための入力部３３の所定の操作を受信し、受信された操作に対応する要求を近距離無線送受信部３５に送信する。また、近距離無線送受信部３５から送信された情報を表示部１５に表示させる。
【００３８】
ここで、楽曲コンテンツ記憶部１８に記憶されるツリー構造のフォルダ構造プレイリストを詳細に説明する。
【００３９】
図４は、ツリー構造のフォルダ構造プレイリストの一例であり、ルートノードである「ルートフォルダ」が記憶され、また、ルートノードの子ノードである「アルバム一覧」、「アーティスト一覧」及び「ユーザ」なるフォルダが順序付けられて記憶されている。更に、「アルバム一覧」フォルダの子ノードであってリーフノードである「プレイリスト１」プレイリスト、・・・が順序付けられて記憶され、また、「ユーザ」フォルダの子ノードであってリーフノードである「プレイリスト２」プレイリスト、・・・が順序付けられて記憶されている。
【００４０】
「プレイリスト１」には、楽曲コンテンツの識別子のリストである「楽曲Ａ識別子」、「楽曲Ｂ識別子」、・・・が順序付けられて記憶されている。また、「プレイリスト２」には、楽曲コンテンツの識別子のリストである「楽曲Ｐ識別子」、「楽曲Ｑ識別子」、・・・が順序付けられて記憶されている。
【００４１】
図示したフォルダ構造プレイリストは、３段階の階層であるが、何段階であっても良い。部分ツリーによって、段数が異なっても良い。また、フォルダであるノードに、フォルダである子ノードと、プレイリストである子ノードがあっても良い。ただし、プレイリストであるノードには、子ノードはない。
【００４２】
ここで、「ユーザ」なるフォルダノードをルートノードとする部分ツリーは、外部記憶媒体接続部１９に接続された外部記憶媒体に記憶されているとする。そこで、その外部記憶媒体が外部記憶媒体接続部１９から取り外された場合、その外部記憶媒体に記憶された上記部分ツリーが読み出されることはない。
【００４３】
しかし、楽曲再生部１７が外部記憶媒体に記憶されたプレイリストに識別子が含まれる楽曲（例えば、「プレイリスト２」に識別子が含まれている「楽曲Ｐ」。）の再生を行っている際その外部記憶媒体が取り外された場合、楽曲再生部１７の楽曲の再生は続けられる。楽曲再生部１７が再生する楽曲が決定された後、上記プレイリストの参照は必要でないためである。
【００４４】
上記のように構成された、本発明の実施形態に係る再生制御システムにおいて、移動通信装置１０がプレイリストに含まれる楽曲を再生する動作を説明する。ここで、図４に示す「プレイリスト１」に含まれる楽曲Ｂを再生させることを例にとる。
【００４５】
（第１の動作、楽曲再生部１７が動作していない際、楽曲再生制御機能１１ａが楽曲を再生させる動作）
図５は、楽曲再生部１７が動作していない際、楽曲再生制御機能１１ａが入力部１６のキー操作に従い、プレイリストに含まれる楽曲を再生させる動作のフローチャートである。
【００４６】
楽曲再生制御機能１１ａは、入力部１６のキー操作に基づいて動作を開始し、楽曲再生部１７が動作していないので、楽曲再生部１７を起動する（ステップＳ１０１）。楽曲再生部１７は、動作を開始した際、カレント位置１７ｂに「ルートフォルダ」なる値を記憶させ、リスト内順位１７ｃに記憶された値を消去する（ステップＳ１０２）。
【００４７】
楽曲再生制御機能１１ａは、入力部１６のキー操作に基づいて、又は、キー操作に依存することなく自動的に楽曲再生部１７にカレント位置の通知を要求する。この要求に対し、楽曲再生部１７は、カレント位置１７ｂに記憶された「ルートフォルダ」なる値と、カレント位置１７ｂがフォルダなので、そのフォルダの子ノードを、フォルダであるかプレイリストであるかを区別して通知する。楽曲再生制御機能１１ａは、通知された情報を表示部１５に表示させる（ステップＳ１０３）。
【００４８】
図６は、このステップＳ１０３で表示部１５に表示される内容を示す。表示部１５には、「ルートフォルダ」なるノード名表示１５ａと、フォルダ名として、「アルバム一覧」、「アーティスト一覧」及び「ユーザ」、そして、プレイリスト名として何も表示されていない子ノード名一覧表示１５ｂとが表示されている。
【００４９】
図６で、子ノード名一覧表示１５ｂ中のノード名の１つにはカーソルが置かれる。カーソルが置かれたノード名は、その他のノード名とは異なる表示がされる。この図では、カーソルが置かれたことをハッチングにより示し、「アルバム一覧」にカーソルが置かれている。カーソルは、入力部１６の例えば上又は下方向の矢印キーの操作により、上又は下に表示されたノード名に移動する。
【００５０】
なお、子ノード名一覧表示１５ｂの表示開始の際、いずれにカーソルを置くかの情報は、楽曲再生部１７から通知されない。そこで、楽曲再生制御機能１１ａは、その表示開始の際、冒頭の、即ち最も上に表示された１つにカーソルを置いて表示させる。
【００５１】
図５に示すフローチャートを参照した楽曲を再生させる動作の説明に戻る。楽曲再生制御機能１１ａは、入力部１６の所定のキー、例えば決定キーの操作により、カーソルが置かれたノード名（図６に示す例では、「アルバム一覧」。）にカレント位置を移動する要求を楽曲再生部１７に送る。この要求に応じて、楽曲再生部１７は、カレント位置１７ｂに「ルートフォルダ」、「アルバム一覧」なる２つの値を順序付けて記憶させる（ステップＳ１０４）。２つの値を記憶させる理由は、たとえ同名のフォルダがあっても、カレント位置が置かれたフォルダを一意に識別するためである。
【００５２】
続いて、楽曲再生制御機能１１ａは、楽曲再生部１７にカレント位置の通知を要求する。この要求に対し、楽曲再生部１７は、カレント位置１７ｂに記憶された値の右端の「アルバム一覧」なる値は、フォルダであるので、カレント位置１７ｂはフォルダであり、カレント位置１７ｂに記憶された「ルートフォルダ」、「アルバム一覧」なる値と、上記フォルダの子ノードを、フォルダであるかプレイリストであるかを区別して通知する。楽曲再生制御機能１１ａは、通知された情報を表示部１５に表示させる（ステップＳ１０５）。
【００５３】
図７は、このステップＳ１０５で表示部１５に表示される内容を示す。表示部１５には、「アルバム一覧」なるノード名表示１５ａと、フォルダ名として何も表示されず、プレイリスト名として「プレイリスト１」、・・・が表示されている子ノード名一覧表示１５ｂとが表示されている。更に、「上のフォルダ」なる親ノード移動表示１５ｃが表示されている。カーソルについては、既に図６を参照して説明した通りである。子ノード名一覧表示１５ｂの表示開始の際、いずれにカーソルを置くかについては、既に図６を参照して説明した通りである。
【００５４】
図５に示すフローチャートを参照した楽曲を再生する動作の説明に戻る。楽曲再生制御機能１１ａは、入力部１６の例えば決定キーの操作により、カーソルが置かれたノード名（図７に示す例では、「プレイリスト１」。）にカレント位置を移動する要求を楽曲再生部１７に送る。この要求に応じて、楽曲再生部１７は、カレント位置１７ｂに「ルートフォルダ」、「アルバム一覧」、「プレイリスト１」なる値を記憶させる（ステップＳ１０６）。複数の値を記憶させる理由は、上述した通り、ノードを一意に識別するためである。
【００５５】
ここで、入力部１６の所定の機能キーが操作されると、楽曲再生制御機能１１ａは、表示された親ノード移動表示１５ｃが示す「上のフォルダ」へ、即ち、現在カレント位置１７ｂに記憶されているノードの親のノードにカレント位置を移動する要求を楽曲再生部１７に送る。この要求に応じて、楽曲再生部１７は、カレント位置１７ｂに「ルートフォルダ」なる値を記憶させる。
【００５６】
楽曲再生制御機能１１ａは、楽曲再生部１７にカレント位置の通知を要求する。この要求に対し、楽曲再生部１７は、カレント位置１７ｂに記憶された「ルートフォルダ」、「アルバム一覧」、「プレイリスト１」なる値と、この値の右端の値はプレイリストであるので、カレント位置１７ｂはプレイリストであり、そのプレイリストに含まれる楽曲の名称が順序付けられたリストと、リスト内順位１７ｃとを通知する。
【００５７】
ここで、プレイリストには、楽曲の識別子のリストが記憶されているが、それらの識別子を検索キーとして楽曲コンテンツの属性を検索することにより、楽曲の名称が得られる。楽曲再生制御機能１１ａは、通知された情報を表示部１５に表示させる（ステップＳ１０７）。
【００５８】
図８は、このステップＳ１０７で表示部１５に表示される内容を示す。表示部１５には、「プレイリスト１」なるノード名表示１５ａと、「楽曲Ａ」、「楽曲Ｂ」、・・・なる楽曲名称一覧表示１５ｄと、「上のフォルダ」なる親ノード移動表示１５ｃが表示されている。
【００５９】
楽曲名称一覧表示１５ｄ中の楽曲の名称の１つ、図８では、「楽曲Ｂ」にカーソルが置かれている。カーソルについてのその他は、既に図６を参照して説明した通りである。カーソルが置かれた楽曲は、再生対象として選択された楽曲であり、楽曲再生制御機能１１ａは、カーソルが置かれた楽曲の変化の度に、カーソルが置かれた楽曲（図８に示す例では、「楽曲Ｂ」。）の記憶を楽曲再生部１７に要求する。具体的には、楽曲再生制御機能１１ａは、上記楽曲がプレイリスト内の何番目であるかを楽曲再生部１７に通知し、楽曲再生部１７は、通知された番号をリスト内順位１７ｃに記憶させる。
【００６０】
なお、楽曲名称一覧表示１５ｄの表示開始の際、いずれの楽曲の名称にカーソルを置くかは、リスト内順位１７ｃとして楽曲再生部１７から通知される。しかし、リスト内順位１７ｃの値は、ステップＳ１０１で消去されているので、楽曲再生制御機能１１ａは、リスト内順位１７ｃの値に基づいてカーソルを置く楽曲の名称を決定できない。そこで、プレイリストの冒頭の、即ち、最も上に表示された楽曲の名称にカーソルを置く。
【００６１】
図５に示すフローチャートを参照した楽曲を再生する動作の説明に戻る。楽曲再生制御機能１１ａは、入力部１６の例えば決定キーの操作により選択が確定された楽曲、又は、その選択が確定された楽曲以降にプレイリストに含まれている全ての楽曲の再生を楽曲再生部１７に要求する。選択された楽曲は、既にプレイリスト内の何番目の楽曲であるかが楽曲再生部１７に通知されているので、楽曲再生部１７は、リスト内順位１７ｃによって識別される楽曲を楽曲コンテンツから検索して再生する（ステップＳ１０８）。
【００６２】
なお、楽曲の再生を要求した前であるか後であるかを問わず、楽曲再生制御機能１１ａが、入力部１６の所定のキー操作に基づいて選択された楽曲の詳細を楽曲再生部１７に要求すると、楽曲再生部１７は、カレント位置１７ｂ及びリスト内順位１７ｃによって識別される楽曲の属性情報を楽曲再生制御機能１１ａに通知し、楽曲再生制御機能１１ａは、通知された情報を表示部１５に表示させる（図示せず）。
【００６３】
楽曲の再生を要求した後、楽曲再生制御機能１１ａは、例えば、再生中の楽曲の音量調整、一時停止、プレイリスト内の異なる楽曲を選択して再生、再生の終了などを楽曲再生部１７に要求し（図示せず）、動作を終了し（ステップＳ１０９）、楽曲再生部１７は、選択された楽曲、又は、その楽曲以降にプレイリストに含まれている全ての楽曲の再生を行う。
【００６４】
楽曲再生部１７は、再生される楽曲が変化するに伴って、再生される楽曲を選択された楽曲とするためにリスト内順位１７ｃを更新記憶させる。この更新記憶の度に、楽曲再生部１７は、リスト内順位１７ｃが更新記憶されたことを楽曲再生制御機能１１ａに通知しても良い。
【００６５】
楽曲再生制御機能１１ａは、楽曲再生部１７にカレント位置１７ｂ、及び／又は、リスト内順位１７ｃの通知を要求することによって、再生されている楽曲の名称を表示部１５に表示させることができる。また、選択された楽曲の詳細を楽曲再生部１７に要求することによって、再生されている楽曲の属性情報を表示部１５に表示させることができる。
【００６６】
楽曲再生部１７は、任意の動作ステップにおいて、楽曲再生制御機能１１ａからの要求を待つ。又は、所定時間に渡って上記要求が与えられない場合、動作を終了する。この楽曲再生部１７の動作は、楽曲再生部１７が楽曲の再生を終了した後であるか前であるかを問わない。
【００６７】
（第２の動作、楽曲再生部１７が動作している際、楽曲再生制御機能１１ａが楽曲を再生させる動作）
図９は、楽曲再生部１７が動作している際、楽曲再生制御機能１１ａが入力部１６のキー操作に従い、プレイリストに含まれる楽曲を再生させる動作のフローチャートである。この第２の動作は、第１の動作と類似している。そこで、図５に示す第１の動作のフローチャートと同じ動作ステップには同じ符号を付して説明を省略する。
【００６８】
ここで、楽曲再生部１７が動作している場合とは、例えば、楽曲再生制御機能１１ａが第１の動作によって楽曲再生部１７を動作させた後、いずれかの動作ステップで動作を終了した場合である。このとき、楽曲再生部１７が楽曲の再生中であるか否かを問わず動作中であるとする。
【００６９】
楽曲再生制御機能１１ａは、入力部１６のキー操作に基づいて動作を開始し、楽曲再生部１７が動作していることを制御部１１内の情報によって判断する（ステップＳ２０１）。また、楽曲再生部１７は、カレント位置１７ｂ及びリスト内順位１７ｃの値を変更しない。
【００７０】
楽曲再生制御機能１１ａは、入力部１６のキー操作に基づいて、又は、基づかずに楽曲再生部１７にカレント位置の通知を要求する。この要求に対し、楽曲再生部１７は、カレント位置１７ｂに記憶されたフォルダ又はプレイリストに従って、そのフォルダ又はプレイリストに係る情報を通知し、楽曲再生制御機能１１ａは、通知された情報を表示部１５に表示させる（ステップＳ２０２）。
【００７１】
このステップＳ２０２の動作は、ステップＳ１０３の動作と類似しているが、カレント位置１７ｂに記憶されているノードがフォルダである可能性も、プレイリストである可能性もあるので、いずれでも良い動作であることが相違する。その結果、このステップＳ２０２の動作による表示は、図６〜図８に示したいずれかとなる。
【００７２】
楽曲再生制御機能１１ａは、ステップＳ２０２で通知されたカレント位置が「ルートフォルダ」であるか（通知される値は、「ルートフォルダ」である。）、「アルバム一覧」フォルダであるか（通知される値は、「ルートフォルダ」、「アルバム一覧」である。）、「プレイリスト１」であるか（通知される値は、「ルートフォルダ」、「アルバム一覧」、「プレイリスト１」なる値と、リスト内順位とである。）を判断する（ステップＳ２０３）。
【００７３】
通知されたカレント位置が「ルートフォルダ」である場合、ステップＳ２０２で通知されたカレント位置に係る情報は、第１の動作のステップＳ１０３で通知されたカレント位置に係る情報と同じであり、楽曲再生制御機能１１ａ及び楽曲再生部１７は、以後、ステップＳ１０４の動作に移る。
【００７４】
通知されたカレント位置が「アルバム一覧」フォルダである場合、ステップＳ２０２で通知されたカレント位置に係る情報は、第１の動作のステップＳ１０５で通知されたカレント位置に係る情報と同じであり、楽曲再生制御機能１１ａ及び楽曲再生部１７は、以後、ステップＳ１０６の動作に移る。
【００７５】
通知されたカレント位置が「プレイリスト１」フォルダである場合、ステップＳ２０２で通知されたカレント位置に係る情報は、第１の動作のステップＳ１０７で通知されたカレント位置に係る情報と同じであり、楽曲再生制御機能１１ａ及び楽曲再生部１７は、以後、ステップＳ１０８の動作に移る。なお、ステップＳ２０２では、リスト内順位として値が通知される可能性がある。通知された場合、楽曲再生制御機能１１ａは、リスト内順位によって識別される楽曲の名称にカーソルを置く。
【００７６】
ステップＳ２０２の楽曲再生制御機能１１ａのカレント位置の通知の要求に対し、楽曲再生部１７が、「ルートフォルダ」、「ユーザ」なる値や、「ルートフォルダ」、「ユーザ」、「プレイリスト２」なる値を通知した場合、楽曲再生制御機能１１ａは、カレント位置を「ルートフォルダ」に一旦移した後、「アルバム一覧」へ、更に「プレイリスト１」へと移す。カレント位置を「ルートフォルダ」に移すには、入力部１６の所定の機能キーが操作されればカレント位置が親ノードに移されることは、図７及び図８の「上のフォルダ」なる親ノード移動表示１５ｃを参照して説明した通りである。
【００７７】
なお、カレント位置１７ｂが「ルートフォルダ」、「ユーザ」なる値や、「ルートフォルダ」、「ユーザ」、「プレイリスト２」なる値であり、外部記憶媒体が外部記憶媒体接続部１９に接続されていない場合、楽曲再生部１７は、カレント位置１７ｂに「ルートフォルダ」なる値を記憶させ、リスト内順位１７ｃの値を消去し、ステップＳ２０２で、この記憶された値と、その値に基づいた情報を楽曲再生制御機能１１ａに通知する。
【００７８】
なぜなら、楽曲再生部１７は、外部記憶媒体接続部１９に接続されていない外部記憶媒体に記憶されたノードの子ノードに係る情報を通知できないからであり、その結果、楽曲再生制御機能１１ａは、そのノードをルートノードとする部分ツリー構造の情報を参照して楽曲の再生をさせることができないからである。
【００７９】
なお、楽曲再生部１７が動作している場合とは、例えば、楽曲再生制御機能１１ａが楽曲再生部１７を動作させたことによって、楽曲再生部１７が動作中である場合であるとした。この場合の他、後述するように、リモコン装置３０の楽曲再生リモコン機能３１ａの動作に基づいて近距離無線送受信部２２が楽曲再生部１７を動作させ、楽曲再生部１７が動作中の場合である。この場合、楽曲再生部１７が楽曲の再生中であるか否かを問わない。また、楽曲再生リモコン機能３１ａが動作を終了したか否かを問わない。近距離無線通信網４０によるリンクが切断されているか否かを問わない。
【００８０】
（第３の動作、楽曲再生部１７が動作していない際、楽曲再生リモコン機能３１ａが楽曲を再生させる動作）
この第３の動作は、既に説明した第１の動作と類似しており、第３の動作のフローチャートは、図５に示した第１の動作のフローチャートと同じである。そこで、第１の動作との相違点を説明する。
【００８１】
第１に、楽曲再生部１７に、フォルダ構造プレイリスト情報を要求し、楽曲の再生をさせるのは、第１の動作では楽曲再生制御機能１１ａであるが、第３の動作では、リモコン装置３０の楽曲再生リモコン機能３１ａである。その結果、楽曲再生リモコン機能３１ａは、入力部３３のソフトキー操作に基づいて動作し、得られた情報を表示部３２に表示させる。
【００８２】
なお、楽曲再生リモコン機能３１ａの要求は、近距離無線通信網４０を介して近距離無線送受信部２２によって受信され、その要求への楽曲再生部１７からの通知は、近距離無線送受信部２２によって近距離無線通信網４０を介して送信される。そこで、移動通信装置１０において、楽曲再生部１７にフォルダ構造プレイリスト情報を要求し、要求への通知を受信するのは、近距離無線送受信部２２であるが、理解を容易にするため楽曲再生リモコン機能３１ａであるとして説明する。
【００８３】
なお、楽曲再生リモコン機能３１ａと、楽曲再生部１７との間の情報交換には、近距離無線通信網４０による通信が介在する。そこで、ＡＶＲＣＰプロファイルの音楽プレイヤの選択のステップが行われるが、このステップの説明を省略する。また、近距離無線通信網４０の通信リンクが確立されていない場合、楽曲再生リモコン機能３１ａが動作していないことと同じに扱う。近距離無線通信網４０の通信リンクが切断された場合、楽曲再生リモコン機能３１ａの動作が終了したことと同じに扱う。また、リモコン装置３０の電源が切断された場合、楽曲再生リモコン機能３１ａの動作が終了したことと同じに扱う。
【００８４】
第２に、第３の動作では、表示部３２及び入力部３３は、一体となったタッチパネルである。そのため、表示部３２に表示された一覧の中の１つの項目にカーソルが置かれ、所定のキー操作、例えば、決定キー操作によってカーソルが置かれた項目が選択されるという概念はない。一覧中の各項目がソフトキーであり、その中の１つが接触されることにより、そのソフトキーに対応する項目が選択される。
【００８５】
また、「上のフォルダ」なる親ノード移動表示が表示されている際、現在カレント位置１７ｂに記憶されているノードの親のノードにカレント位置を移動させるため、入力部３３の所定の機能キーが操作されることはない。親ノード移動表示そのものがソフトキーであり、そのキーが接触されることによってカレント位置を移動させる。
【００８６】
ステップＳ１０３、ステップＳ１０５及びステップＳ１０７で表示部３２に表示される内容を図１０〜図１２を参照して説明する。それぞれ、第１の動作で説明した図６〜図８に対応するものである。
【００８７】
図１０は、ステップＳ１０３で表示部３２に表示される内容を示す。この表示内容は、図６を参照して説明した第１の動作で表示部１５に表示される内容と比較して、ノード名表示１５ａに代えてノード名表示３２ａが表示され、子ノード名一覧表示１５ｂに代えて子ノード名一覧表示３２ｂが表示されており、表示される内容は同じである。しかし、子ノード名一覧表示３２ｂのノード名の１つにカーソルが置かれることはなく、各子ノード名表示はソフトキーとなっている。図１０〜図１２では、ソフトキーであることを四角形で囲んで示す。
【００８８】
図１１は、ステップＳ１０５で表示部３２に表示される内容を示す。この表示内容は、図７を参照して説明した第１の動作で表示部１５に表示される内容と比較して、ノード名表示１５ａに代えてノード名表示３２ａが表示され、子ノード名一覧表示１５ｂに代えて子ノード名一覧表示３２ｂが表示され、親ノード移動表示１５ｃに代えて親ノード移動表示３２ｃが表示されており、表示される内容は同じである。しかし、カーソルが置かれることはなく、子ノード名一覧表示３２ｂの各子ノード名表示及び親ノード移動表示３２ｃはソフトキーとなっている。
【００８９】
図１２は、ステップＳ１０７で表示部３２に表示される内容を示す。この表示内容は、図８を参照して説明した第１の動作で表示部１５に表示される内容と比較して、ノード名表示１５ａに代えてノード名表示３２ａが表示され、楽曲名称一覧表示１５ｄに代えて楽曲名称一覧表示３２ｄが表示され、親ノード移動表示１５ｃに代えて親ノード移動表示３２ｃが表示されており、表示される内容は同じである。しかし、カーソルが置かれることはなく、楽曲名称一覧表示３２ｄの楽曲の名称の表示及び親ノード移動表示３２ｃはソフトキーとなっている。
【００９０】
（第４の動作、楽曲再生部１７が動作している際、楽曲再生リモコン機能３１ａが楽曲を再生させる動作）
楽曲再生部１７が動作している場合とは、リモコン装置３０の楽曲再生リモコン機能３１ａが楽曲再生部１７を動作させて、動作を終了し、楽曲再生部１７が動作中の場合である。楽曲再生部１７が楽曲の再生中であるか否かを問わない。なお、近距離無線通信網４０によるリンクが切断されたことは、楽曲再生リモコン機能３１ａが動作を終了したことに含まれる。
【００９１】
また、楽曲再生部１７が動作している場合とは、楽曲再生制御機能１１ａが楽曲再生部１７を動作させたことによって、楽曲再生部１７が動作中の場合である。楽曲再生部１７が楽曲の再生中であるか否かを問わない。また、楽曲再生制御機能１１ａが動作を終了したか否かを問わない。
【００９２】
この第４の動作と第３の動作との相違（第１の相違と称する。）は、第２の動作と第１の動作の相違（第２の相違と称する。）と略同じである。そこで、第１の相違と、第２の相違との相違点を説明する。
【００９３】
第２の動作中、ステップＳ２０２の動作によって楽曲再生部１７から楽曲再生リモコン機能３１ａに通知される情報が、「ルートフォルダ」、「アルバム一覧」、「プレイリスト１」なる値と、リスト内順位１７ｃとである場合、楽曲再生リモコン機能３１ａは、楽曲名称一覧表示３２ｄを表示させる際、リスト内順位によって識別される楽曲の名称を識別可能に表示する。
【００９４】
図１３は、ステップＳ２０２で表示部３２に表示される内容を示す。この表示内容は、図１２を参照して説明した第３の動作で表示部３２に表示される内容に比較して、楽曲名称一覧表示３２ｄ中の「楽曲Ｂ」なる楽曲の名称の表示が、他の楽曲の名称の表示と異なる表示とされる。これは、リスト内順位によって、「楽曲Ｂ」なる楽曲が識別されたからである。
【００９５】
（楽曲再生リモコン機能３１ａと、楽曲再生部１７との間の通信のシーケンス例）
ここで、移動通信装置１０の楽曲再生制御機能１１ａと、リモコン装置３０の楽曲再生リモコン機能３１ａとが移動通信装置１０の楽曲再生部１７を制御する際の、楽曲再生リモコン機能３１ａと、楽曲再生部１７との間の通信の例を説明する。第１の例は、第１の動作によって、楽曲再生制御機能１１ａが「プレイリスト１」に含まれる「楽曲Ｂ」を再生させた後、第４の動作によって、楽曲再生リモコン機能３１ａが同じプレイリストに含まれる「楽曲Ａ」を再生させる動作である。
【００９６】
図１４は、この第１の例における楽曲再生リモコン機能３１ａと、楽曲再生部１７との間の通信のシーケンス図である。
【００９７】
楽曲再生部１７は、第１の動作により、楽曲再生制御機能１１ａの制御に従って、「プレイリスト１」に含まれる「楽曲Ｂ」を再生中である（Ｔ３０１、図５に示すフローチャートのステップＳ１０１〜ステップＳ１０８の動作に対応する。）。
【００９８】
楽曲再生リモコン機能３１ａが楽曲再生部１７を制御するため、まず、近距離無線送受信部２２と、近距離無線送受信部３５との間で、近距離無線通信網４０のリンクを確立させる（Ｔ３０２）。続いて音楽プレイヤとして、楽曲再生部１７が選択され（図示せず）、楽曲再生リモコン機能３１ａは、カレント位置の通知要求を楽曲再生部１７に送信する（Ｔ３０３、図９に示すフローチャートのステップＳ２０２の動作に対応する。）。
【００９９】
なお、楽曲再生リモコン機能３１ａと楽曲再生部１７との間の通信には、必ず近距離無線送受信部２２と、近距離無線送受信部３５とを経由するが、このシーケンスの説明において、これらを経由することの説明を省略する。
【０１００】
楽曲再生部１７は、上記要求に対応して、カレント位置として「プレイリスト１」、「プレイリスト１」に含まれる楽曲の名称として「楽曲Ａ」、「楽曲Ｂ」、・・・、更に、リスト内順位として、「２」を送信し、「楽曲Ｂ」が再生されていることを通知する（Ｔ３０４、図９に示すフローチャートのステップＳ２０２の動作に対応し、通知された内容は、図５に示すフローチャートのステップＳ１０７で通知された内容と同じである。）。ここで、リモコン装置３０の表示部３２には、図１３に示す表示がされる。
【０１０１】
表示部３２の「楽曲Ａ」が表示されている部分に使用者が指を触れたことが入力部３３により検出されたことに基づき、楽曲再生リモコン機能３１ａは、「楽曲Ａ」の再生、即ち、「プレイリスト１」中のリスト内順位が「１」である楽曲の再生を要求する（Ｔ３０５、図９に示すフローチャートのステップＳ１０８の動作に対応する。）。楽曲再生部１７は、上記要求に対応して、「楽曲Ａ」を再生する（Ｔ３０６、図９に示すフローチャートのステップＳ１０８の動作に対応する。）。
【０１０２】
以上、第１の例を用いて説明したように、楽曲再生制御機能１１ａが楽曲再生部１７を制御していた後、楽曲再生リモコン機能３１ａが楽曲再生部１７を制御する場合、１つの制御機能が制御しているように、使用者に無用な操作をさせることなしに制御を引き継ぐことができる。
【０１０３】
次に、移動通信装置１０の楽曲再生制御機能１１ａと、リモコン装置３０の楽曲再生リモコン機能３１ａとが移動通信装置１０の楽曲再生部１７を制御する第２の例における、楽曲再生リモコン機能３１ａと、楽曲再生部１７との間の通信を説明する。この例は、第２の動作によって、楽曲再生リモコン機能３１ａが楽曲を再生させる動作である。
【０１０４】
図１５は、第２の例における楽曲再生リモコン機能３１ａと、楽曲再生部１７との間の通信のシーケンス図である。なお、図１４を参照して説明した第１の例と同じシーケンスについては、簡明な説明に止め、又は、説明を省略する。
【０１０５】
まず、近距離無線送受信部２２と、近距離無線送受信部３５との間で、近距離無線通信網４０のリンクを確立させ（Ｔ４０１）、音楽プレイヤとして、楽曲再生部１７が選択され、楽曲再生リモコン機能３１ａは、カレント位置の通知要求を楽曲再生部１７に送信する（Ｔ４０２、図５に示すフローチャートのステップＳ１０３の動作に対応する。）。
【０１０６】
楽曲再生部１７は、上記要求を受ける前は、動作していなかったので、カレント位置を、「ルートフォルダ」としており（図５に示すフローチャートのステップＳ１０２の動作に対応する。）、カレント位置が「ルートフォルダ」であることと、そのフォルダの子ノードを通知する（Ｔ４０３、図５に示すステップＳ１０３の動作に対応する。）。ここで、リモコン装置３０の表示部３２には、図１０に示す表示がされる。
【０１０７】
図１０に示す表示中、「アルバム一覧」が表示されている部分に使用者が指を触れたことが入力部３３により検出されたことに基づき、楽曲再生リモコン機能３１ａは、カレント位置を「アルバム一覧」へ移すことと、カレント位置の通知要求を楽曲再生部１７に送信する（Ｔ４０４、図５に示すフローチャートのステップＳ１０４、及び、ステップＳ１０５の動作に対応する。）。
【０１０８】
楽曲再生部１７は、カレント位置が「アルバム一覧」であることと、そのフォルダの子ノードを通知する（Ｔ４０５、図５に示すステップＳ１０５の動作に対応する。）。ここで、リモコン装置３０の表示部３２には、図１１に示す表示がされる。
【０１０９】
図１１に示す表示中、「プレイリスト１」が表示されている部分に使用者が指を触れたことが入力部３３により検出されたことに基づき、楽曲再生リモコン機能３１ａは、カレント位置を「プレイリスト１」へ移すことと、カレント位置の通知要求を楽曲再生部１７に送信する（Ｔ４０６、図５に示すフローチャートのステップＳ１０６、及び、ステップＳ１０７の動作に対応する。）。
【０１１０】
楽曲再生部１７は、カレント位置が「プレイリスト１」であることと、そのリストに含まれる楽曲の名称の列を通知する（Ｔ４０７、図５に示すステップＳ１０７の動作に対応する。）。ここで、リモコン装置３０の表示部３２には、図１２に示す表示がされる。
【０１１１】
図１２に示す表示中、「楽曲Ａ」が表示されている部分に使用者が指を触れたことが入力部３３により検出されたことに基づき、楽曲再生リモコン機能３１ａは、「楽曲Ａ」の再生、即ち、「プレイリスト１」中のリスト内順位が「１」である楽曲の再生を要求する（Ｔ４０８、図９に示すフローチャートのステップＳ１０８の動作に対応する。）。楽曲再生部１７は、上記要求に対応して、「楽曲Ａ」を再生する（Ｔ４０９、図５に示すフローチャートのステップＳ１０８の動作に対応する。）。
【０１１２】
以上、第２の例を用いて説明したように、楽曲再生部１７が動作をしていない際、楽曲再生リモコン機能３１ａが楽曲再生部１７を制御する場合、楽曲再生制御機能１１ａによる制御の有無を使用者に意識させることなく、使用者の実感に合った操作をさせることができる。
【０１１３】
（その他の動作）
以上の説明では、フォルダ構造プレイリストの作成及び編集の動作説明を省略したが、フォルダ構造プレイリストの中で、フォルダ名が「アルバム一覧」なるノードをルートノードとする部分ツリー構造と、フォルダ名が「アーティスト一覧」なるノードをルートノードとする部分ツリー構造は、コンテンツダウンロード部が楽曲コンテンツをダウンロードする際に作成する。フォルダ名が「ユーザ」なるノードをルートノードとする部分ツリー構造は、入力部１６のキー操作に基づいて楽曲再生制御機能１１ａが、また、入力部３３のソフトキー操作に基づいて楽曲再生リモコン機能３１ａが作成する。
【０１１４】
以上の説明では、楽曲コンテンツがモノラル信号であるか、ステレオ信号であるかを明示しなかったが、いずれでも良い。ただし、ステレオ信号をスピーカ１７ａから発生させる場合、スピーカ１７ａは、２つのスピーカからなる。また、以上の説明では、映像の再生に触れなかったが、楽曲コンテンツは、映像情報を含み、楽曲再生部１７は、再生された映像を表示部１５に表示させるとしても良い。
【０１１５】
以上の説明は、楽曲再生部１７によって再生された楽曲は、常にスピーカ１７ａから、即ち、移動通信装置１０から発生されるとしたが、これに限るものではない。再生の要求をリモコン装置３０の楽曲再生リモコン機能３１ａから受信した場合、楽曲再生部１７は、再生された楽曲を近距離無線通信網４０を介してリモコン装置３０に送信し、リモコン装置３０は、楽曲再生用のスピーカ（図示せず）からその再生された楽曲を発生させても良い。楽曲をブルートゥース（Ｒ）方式のプロファイルに従って送信する技術は、周知である。
【０１１６】
以上の説明では、移動通信装置１０の入力部１６はキースイッチであり、リモコン装置３０の入力部３３はタッチパネルとして表示部３２と一体成型されているとした。移動通信装置１０の入力部１６がタッチパネルとして表示部１５と一体成型されていても良い。また、リモコン装置３０の入力部３３がキースイッチであっても良い。タッチパネルにおいては、カーソルを項目間で移動させる概念がないものの、同様な動作をさせることができる。
【０１１７】
以上の説明で、楽曲再生部１７は、カレント位置の通知要求に対して、カレント位置１７ｂのノードの名称と、そのノードの子ノード、又は、プレイリストを通知するとしたが、これに限るものではない。カレント位置１７ｂに記憶されたカレント位置のノードの名称を通知するとしても良い。この場合、楽曲再生制御機能１１ａは、続いて、カレント位置のノードの名称をパラメータとして、そのノードの子ノード、又は、プレイリストの通知要求を楽曲再生部１７に送信する。
【０１１８】
以上の説明で、楽曲再生部１７は、カレント位置を移動する要求を受けると、カレント位置を移動し、カレント位置１７ｂに記憶させるとしたが、これに限るものではない。カレント位置１７ｂに記憶させた後、カレント位置の通知要求を受けたとして、カレント位置１７ｂのノードの名称と、そのノードの子ノード、又は、プレイリストを通知するとしても良い。
【０１１９】
以上の説明は、１台の移動通信装置１０と、１台のリモコン装置３０とからなる再生制御システムを例に、移動通信装置１０の楽曲再生制御機能１１ａと、リモコン装置３０の楽曲再生リモコン機能３１ａとが楽曲再生部１７を制御するとしたが、これに限るものではない。
【０１２０】
リモコン装置３０は、複数台であっても良い。即ち、移動通信装置１０の楽曲再生制御機能１１ａと、複数台のリモコン装置３０の楽曲再生リモコン機能３１ａとが楽曲再生部１７を制御するとしても良い。楽曲再生部１７は、受信された要求に対し、順次要求された動作をするのであって、要求を送信する装置が何台であっても、何ら支障が生じることはない。
【０１２１】
以上の説明は、楽曲再生装置を移動通信装置に適用した形態を用いて行ったが、本発明は、移動通信装置に限らず、楽曲を再生するあらゆる装置、例えば、録音装置、録画装置などに適用することが当然に可能である。本発明は以上の構成に限定されるものではなく、種々の変形が可能である。
【図面の簡単な説明】
【０１２２】
【図１】本発明の実施形態に係る移動通信装置が含まれた再生制御システムの構成を示すブロック図。
【図２】本発明の実施形態に係る移動通信装置の構成を示すブロック図。
【図３】本発明の実施形態に係るリモコン装置の構成を示すブロック図。
【図４】本発明の実施形態に係るツリー構造のフォルダ構造プレイリストの一例を示す図。
【図５】本発明の実施形態に係る楽曲再生制御機能が、楽曲再生部が動作していない際、プレイリストに含まれる楽曲を再生させる動作のフローチャート。
【図６】本発明の実施形態に係る楽曲再生制御機能がカレント位置のフォルダに係る情報を表示させた一例を示す図（その１）。
【図７】本発明の実施形態に係る楽曲再生制御機能がカレント位置のフォルダに係る情報を表示させた一例を示す図（その２）。
【図８】本発明の実施形態に係る楽曲再生制御機能がカレント位置のプレイリストに係る情報を表示させた一例を示す図。
【図９】本発明の実施形態に係る楽曲再生制御機能が、楽曲再生部が動作している際、プレイリストに含まれる楽曲を再生させる動作のフローチャート。
【図１０】本発明の実施形態に係る楽曲再生リモコン機能がカレント位置のフォルダに係る情報を表示させた一例を示す図（その１）。
【図１１】本発明の実施形態に係る楽曲再生リモコン機能がカレント位置のフォルダに係る情報を表示させた一例を示す図（その２）。
【図１２】本発明の実施形態に係る楽曲再生リモコン機能がカレント位置のプレイリストに係る情報を表示させた一例を示す図（その１）。
【図１３】本発明の実施形態に係る楽曲再生リモコン機能がカレント位置のプレイリストに係る情報を表示させた一例を示す図（その２）。
【図１４】本発明の実施形態に係る楽曲再生制御機能と楽曲再生リモコン機能とが楽曲再生部を制御する際の、楽曲再生リモコン機能と楽曲再生部との間の通信のシーケンス図（第１の例）。
【図１５】本発明の実施形態に係る楽曲再生制御機能と楽曲再生リモコン機能とが楽曲再生部を制御する際の、楽曲再生リモコン機能と楽曲再生部との間の通信のシーケンス図（第２の例）。
【符号の説明】
【０１２３】
１０  移動通信装置
１１、３１  制御部
１１ａ  楽曲再生制御機能
１５、３２  表示部
１５ａ、３２ａ  ノード名表示
１５ｂ、３２ｂ  子ノード名一覧表示
１５ｃ、３２ｃ  親ノード移動表示
１５ｄ、３２ｄ  楽曲名称一覧表示
１６、３３  入力部
１７  楽曲再生部
１７ｂ  カレント位置
１７ｃ  リスト内順位
１８  楽曲コンテンツ記憶部
１９  外部記憶媒体接続部
２１ｂ、３４ｂ  近距離無線通信部
２２、３５  近距離無線送受信部
３０  リモコン装置
３１ａ  楽曲再生リモコン機能
４０  近距離無線通信網
【図１】
2010073277.tif 000003
【図２】
2010073277.tif 000004
【図３】
2010073277.tif 000005
【図４】
2010073277.tif 000006
【図５】
2010073277.tif 000007
【図６】
2010073277.tif 000008
【図７】
2010073277.tif 000009
【図８】
2010073277.tif 000010
【図９】
2010073277.tif 000011
【図１０】
2010073277.tif 000012
【図１１】
2010073277.tif 000013
【図１２】
2010073277.tif 000014
【図１３】
2010073277.tif 000015
【図１４】
2010073277.tif 000016
【図１５】
2010073277.tif 000017